(57)【要約】【課題】樹脂成型の保持器セパレータ同士を連結にすることにより、低コスト化を図ると共に、作業効率の改善を図ること。【解決手段】複数の樹脂成型の保持器セパレータ１同士を周方向に連結して、保持器が形成してある。各保持器セパレータ１は、周方向の一端側に、第１係合凸部Ａを有し、その他端側に、第１係合凸部Ａに係合する第１係合凹部Ｂを有する。さらに、第１係合凸部Ａには、連結固定用の第２係合凸部ａが形成してあり、第１係合凹部Ｂには、当該第２係合凸部ａに係合する連結固定用の第２係合凹部ｂが形成してある。これにより、保持器セパレータ１同士を分離し難くすると共に、半径方向への移動を許容する。【選択図】図２
2008019974.tif 000002
【特許請求の範囲】
【請求項１】
周方向に沿って、複数のポケット部を有するスラスト玉軸受用保持器に於いて、
複数の樹脂成型の保持器セパレータ同士を周方向に連結して、保持器が形成してあることを特徴とするスラスト玉軸受用保持器。
【請求項２】
周方向の一端側に、第１係合凸部を有し、その他端側に、当該第１係合凸部に係合する第１係合凹部を有することを特徴とする請求項１に記載のスラスト玉軸受用保持器。
【請求項３】
第１係合凸部には、第２係合凸部が形成してあり、
第１係合凹部には、当該第２係合凸部に係合する第２係合凹部が形成してあり、
これにより、保持器セパレータ同士を分離し難くすると共に、半径方向への移動を許容することを特徴とする請求項２に記載のスラスト玉軸受用保持器。
【発明の詳細な説明】
【技術分野】
【０００１】
本発明は、樹脂成型の保持器セパレータ同士を連結にすることにより、低コスト化を図ると共に作業効率の改善を図るスラスト玉軸受用保持器に関する。
【背景技術】
【０００２】
図４（ａ）は、従来例に係るスラスト玉軸受用保持器の平面図であり、（ｂ）は、その断面図である。
【０００３】
スラスト玉軸受用保持器１０は、その周方向に沿って多数のポケット部１１を有している。
【０００４】
大型のスラスト玉軸受用保持器は、もみ抜き形削り加工品であり、非常に高価である。
【発明の開示】
【発明が解決しようとする課題】
【０００５】
しかしながら、軸受サイズが大きくなると、数量および設備の関係から、プレス保持器対応は、難しくなり、一体型もみ抜き保持器仕様になる。
【０００６】
一体型もみ抜き保持器のポケット部の加工は、高精度な機械加工が求められる為、非常に高コストとなる。また、ボールと保持器が分離しないように、加工作業が必要になる。
【０００７】
さらに、総玉（保持器なし）軸受は、回転時に、ボール同士の接触が生じ、滑らかな回転を得る事が出来ない。
【０００８】
また、アンギュラ玉軸受で使用されているセパレータは、軸受取り扱い難く、ボールとセパレータは分離する問題がある。
【０００９】
本発明は、上述したような事情に鑑みてなされたものであって、樹脂成型の保持器セパレータ同士を連結にすることにより、低コスト化を図ると共に、作業効率の改善を図ることができる、スラスト玉軸受用保持器を提供することを目的とする。
【課題を解決するための手段】
【００１０】
上記の目的を達成するため、本発明に係るスラスト玉軸受用保持器は、周方向に沿って、複数のポケット部を有するスラスト玉軸受用保持器に於いて、
複数の樹脂成型の保持器セパレータ同士を周方向に連結して、保持器が形成してあることを特徴とする。
【００１１】
好適には、周方向の一端側に、第１係合凸部を有し、その他端側に、当該第１係合凸部に係合する第１係合凹部を有する。
【００１２】
また、好適には、第１係合凸部には、第２係合凸部が形成してあり、第１係合凹部には、当該第２係合凸部に係合する第２係合凹部が形成してあり、これにより、保持器セパレータ同士を分離し難くすると共に、半径方向への移動を許容する。
【発明の効果】
【００１３】
本発明によれば、樹脂成型の保持器セパレータにすることで、部品の共通化（ボール径）を図り、また、ボール組込み後の分離を避けるため、ボールとポケット口元部に、パチン代を設ける事で作業効率を図るものである。これにより、保持器コストの低減および作業効率が図れる。
【発明を実施するための最良の形態】
【００１４】
以下、本発明の実施の形態に係るスラスト玉軸受用保持器を図面を参照しつつ説明する。
【００１５】
図１は、本発明の実施の形態に係るスラスト玉軸受用保持器の平面図である。
【００１６】
図２（ａ）は、図１に示した樹脂成型の保持器セパレータ単体の側面図であり、（ｂ）は、その平面図である。
【００１７】
図３（ａ）は、図１及び図２に示した複数の樹脂成型の保持器セパレータの平面図であり、（ｂ）は、その側面図である。
【００１８】
本実施の形態では、複数の樹脂成型の保持器セパレータ１同士を周方向に連結して、保持器が形成してある。
【００１９】
また、各保持器セパレータ１は、連結のため為に、左右の形状は非対称の第１係合凸部Ａと第１係合凹部Ｂを有している。この第１係合凸部Ａと第１係合凹部Ｂを連結することで、もみ抜き形保持器の機能を持たせたものである。
【００２０】
すなわち、各保持器セパレータ１は、周方向の一端側に、第１係合凸部Ａを有し、その他端側に、第１係合凸部Ａに係合する第１係合凹部Ｂを有する。
【００２１】
さらに、第１係合凸部Ａには、連結固定用の第２係合凸部ａが形成してあり、第１係合凹部Ｂには、当該第２係合凸部ａに係合する連結固定用の第２係合凹部ｂが形成してある。
【００２２】
これにより、保持器セパレータ１同士を分離し難くすると共に、半径方向への移動を許容する。また、ボール径が共通であれば、樹脂成型の保持器セパレータ１の数量を調整する事で、軌道径寸法調整が可能である。
【００２３】
ポケット部２は、球状で、口元寸法は、ボール径より若干小さな寸法である。保持器セパレータ１の外径面および内径面に相当する面は、若干アール形状を呈してある。樹脂成型の保持器セパレータ１を連結する事で一体形にすることが可能となる。また数分割形は、円周方向すきまを設けて使用することも可能である。
【００２４】
以上から、本実施の形態によれば、樹脂成型の保持器セパレータ１にすることで、部品の共通化（ボール径）を図り、また、ボール組込み後の分離を避けるため、ボールとポケット部２の口元部に、パチン代を設ける事で作業効率を図るものである。これにより、保持器コストの低減および作業効率が図れる。
【００２５】
なお、本発明は、上述した実施の形態に限定されず、種々変形可能である。
【図面の簡単な説明】
【００２６】
【図１】本発明の実施の形態に係るスラスト玉軸受用保持器の平面図である。
【図２】（ａ）は、図１に示した樹脂成型の保持器セパレータ単体の側面図であり、（ｂ）は、その平面図である。
【図３】（ａ）は、図１及び図２に示した複数の樹脂成型の保持器セパレータの平面図であり、（ｂ）は、その側面図である。
【図４】（ａ）は、従来例に係るスラスト玉軸受用保持器の平面図であり、（ｂ）は、その断面図である。
【符号の説明】
【００２７】
１  保持器セパレータ
２  ポケット部
Ａ  第１係合凸部
Ｂ  第１係合凹部
ａ  第２係合凸部
ｂ  第２係合凹部
１０  スラスト玉軸受用保持器
１１  ポケット部
【図１】
2008019974.tif 000003
【図２】
2008019974.tif 000004
【図３】
2008019974.tif 000005
【図４】
2008019974.tif 000006